(57)【特許請求の範囲】
【請求項１】
ワイヤレスネットワーク機能設定方法であって、
第1のワイヤレス・ネットワーク・ノードにより、バックホールリンク使用情報を端末に送信するステップであって、前記バックホールリンク使用情報が、サービスパラメータを決定するために前記端末によって使用される、ステップと、
前記第1のワイヤレス・ネットワーク・ノードにより、コア・ネットワーク・デバイスによって送信されるサービス品質（QoS）値を受信するステップであって、前記QoS値が、前記サービスパラメータに基づき前記コア・ネットワーク・デバイスによって決定される、ステップと、
前記第1のワイヤレス・ネットワーク・ノードにより、前記QoS値に基づいて、前記第1のワイヤレス・ネットワーク・ノードおよび第2のワイヤレス・ネットワーク・ノードがワイヤレスネットワーク機能設定を行うために使用する機能設定ポリシーを決定するステップであって、前記機能設定ポリシーが、ワイヤレスネットワーク機能のうちの、前記第1のワイヤレス・ネットワーク・ノードによって実施される、ワイヤレスネットワーク機能の第1の部分と、前記ワイヤレスネットワーク機能のうちの、前記第2のワイヤレス・ネットワーク・ノードによって実施される、ワイヤレスネットワーク機能の第2の部分とを含む、ステップと、
前記第1のワイヤレス・ネットワーク・ノードにより、前記機能設定ポリシー中の、前記第2のワイヤレス・ネットワーク・ノードによって実施される、前記ワイヤレスネットワーク機能の第2の部分に対応する機能設定情報を前記第2のワイヤレス・ネットワーク・ノードに送信し、それにより、前記第2のワイヤレス・ネットワーク・ノードが、前記機能設定情報に従って前記第2のワイヤレス・ネットワーク・ノードの機能設定を完了できるようになる、ステップと
を含む方法。
【請求項２】
前記機能設定ポリシーが、さらに、前記バックホールリンク使用情報に基づいて決定される、請求項1に記載の方法。
【請求項３】
前記QoS値が、以下のパラメータ、すなわち、サービス遅延、サービス優先順位識別子、またはサービス伝送速度、のうちの少なくとも1つを含む、請求項1に記載の方法。
【請求項４】
前記バックホールリンク使用情報が、以下の手順、すなわち、
前記第1のワイヤレス・ネットワーク・ノードにより、監視によって前記バックホールリンク使用情報を取得すること、または、
前記第1のワイヤレス・ネットワーク・ノードにより、コア・ネットワーク・デバイスによって送信される前記バックホールリンク使用情報を受信すること、または
前記第1のワイヤレス・ネットワーク・ノードにより、バックホール・リンク・ノードによって送信される前記バックホールリンク使用情報を受信すること
のうちの少なくとも1つによって取得される、請求項2に記載の方法。
【請求項５】
前記バックホールリンク使用情報が、以下、すなわち、バックホールリンク負荷情報またはバックホールリンク遅延情報、のうちの少なくとも1つを含む、請求項2に記載の方法。
【請求項６】
第1のワイヤレス・ネットワーク・ノードであって、
バックホールリンク使用情報を端末に送信するように構成される送信ユニットであって、前記バックホールリンク使用情報が、サービスパラメータを決定するために前記端末によって使用される、送信ユニットと
コア・ネットワーク・デバイスによって送信されるサービス品質（QoS）値を受信するように構成される取得ユニットであって、前記QoS値が、前記サービスパラメータに基づき前記コア・ネットワーク・デバイスによって決定される、取得ユニットと、
前記QoS値に基づいて、前記第1のワイヤレス・ネットワーク・ノードおよび第2のワイヤレス・ネットワーク・ノードがワイヤレスネットワーク機能設定を行うために使用する機能設定ポリシーを決定するように構成される決定ユニットであって、前記機能設定ポリシーが、ワイヤレスネットワーク機能のうちの、前記第1のワイヤレス・ネットワーク・ノードによって実施される、ワイヤレスネットワーク機能の第1の部分と、前記ワイヤレスネットワーク機能のうちの、前記第2のワイヤレス・ネットワーク・ノードによって実施される、ワイヤレスネットワーク機能の第2の部分とを含む、決定ユニットと
を備え、
前記送信ユニットは、前記決定ユニットによって決定された前記機能設定ポリシー中の、前記第2のワイヤレス・ネットワーク・ノードによって実施される、前記ワイヤレスネットワーク機能の第2の部分に対応する機能設定情報を前記第2のワイヤレス・ネットワーク・ノードに送信し、それにより、前記第2のワイヤレス・ネットワーク・ノードが、前記機能設定情報に従って前記第2のワイヤレス・ネットワーク・ノードの機能設定を完了できるようになる、ようにさらに構成される、第1のワイヤレス・ネットワーク・ノード。
【請求項７】
前記機能設定ポリシーが、さらに、前記バックホールリンク使用情報に基づいて決定される、請求項6に記載の第1のワイヤレス・ネットワーク・ノード。
【請求項８】
前記QoS値が、以下のパラメータ、すなわち、サービス遅延、サービス優先順位識別子、またはサービス伝送速度、のうちの少なくとも1つを含む、請求項6に記載の第1のワイヤレス・ネットワーク・ノード。
【請求項９】
前記取得ユニットが、
監視によって前記バックホールリンク使用情報を取得すること、または、
コア・ネットワーク・デバイスによって送信される前記バックホールリンク使用情報を受信すること、または
バックホール・リンク・ノードによって送信される前記バックホールリンク使用情報を受信すること
のうちの少なくとも1つを行うようにさらに構成される、請求項7に記載の第1のワイヤレス・ネットワーク・ノード。
【請求項１０】
前記バックホールリンク使用情報が、以下、すなわち、バックホールリンク負荷情報またはバックホールリンク遅延情報、のうちの少なくとも1つを含む、請求項7に記載の第1のワイヤレス・ネットワーク・ノード。
【発明の詳細な説明】
【技術分野】
【０００１】
この出願は、2015年6月30日に中国特許庁に提出された、「WIRELESS NETWORK FUNCTION CONFIGURATION METHOD, WIRELESS NETWORK NODE, AND CORE NETWORK DEVICE」と題する中国特許出願第201510376666.1号に対する優先権を主張するものであり、その全体が、参照により本明細書に組み込まれる。
【０００２】
本発明は、通信技術の分野に関し、詳細には、ワイヤレスネットワーク機能設定方法、ワイヤレス・ネットワーク・ノード、およびコア・ネットワーク・デバイスに関する。
【背景技術】
【０００３】
指数関数的なサービスの成長に伴い、モバイルネットワークは、第5世代移動通信技術（5th-generation、略して5G）に進化中である。5Gネットワークでは、サービスの爆発的な成長をサポートするために、より高い帯域幅とより高いスペクトル効率が要求される。超高密度かつ低電力のスモール・セル・ネットワークは、より大量のデータを効果的に提供することができる。しかしながら、ネットワーク配備の密度が高くなると、セル間の干渉が大きくなり、干渉状況はより複雑になる。
【０００４】
集中処理は、セル間の干渉を効果的に低減することができ、また、セル間の負荷平衡を保証し、これにより、システム容量を効果的に増加させることができる。近年、効果的な集中処理方式として、クラウド無線アクセスネットワーク（Cloud Radio Access Network、略してC-RAN）が提案されている。C-RANは、遠隔無線ヘッド（Remote Radio Head、略してRRH）とベースバンドユニット（Baseband Unit、略してBBU）プールによって形成される。RRHとBBUプールは、共通公衆無線インタフェース（Common Public Radio Interface、略してCPRI）を使用して接続される。
【０００５】
RRHとBBUは、プロトコルを使用して互いに通信する。現在のプロトコル・スタック・アーキテクチャが図1に示されている。すべてのプロトコル層は、上から順に、パケット・データ・コンバージェンス・プロトコル（英語：Packet Data Convergence Protocol、略してPDCP）層、無線リンク制御（英語：Radio Link Control、略してRLC）層、媒体アクセス制御（英語：Media Access Control、略してMAC）層、無線リソース制御プロトコル（英語：Radio Resource Control、略してRRC）層、および物理（英語：Physical、略してPHY）層を含む。さらに、前述のすべてのプロトコル層に対応するワイヤレスネットワーク機能は、BBUによって実施される。したがって、RRHとBBUとの間のCPRIインタフェースは、ユーザ通信プロセスにおいて常に使用される必要がある。
【０００６】
C-RANは、システム容量を効果的に増加させることができるが、非常に理想的な転送ネットワークが必要とされる。つまり、CPRIインタフェースには、理想的な帯域幅と理想的な遅延が必要である。例えば、帯域幅が20MHzであり、8つのアンテナをサポートするセルでは、ベースバンドが、20MHzの帯域幅である場合、ベースバンド・サンプリング・レートは、30.72Mであり、サンプリングビット幅は、15ビットであり、1つのアンテナのラインレートは、30.72＊15＊2（IQ）＊16／15（15データビットおよび1制御ビット）＝983.04Mであり、8／10B符号化の実行後のIRインタフェースの伝送速度は、983.04M＊10／8＝1228.8Mである。つまり、MIMOが使用されない場合、信号アンテナの単一セクタは、1228.8MのCPRI伝送速度を必要とし、8つのアンテナが存在する場合、1228.8Mに8を掛ける必要があり、伝送速度は、最大で10Gbit/sになる。より高い伝送速度は、転送ネットワークのより高い帯域幅を必要とするため、RRUとBBUプールとの間にこのような高い伝送帯域幅を達成することは極めて困難である。その結果、C-RANシステムの配備および使用は限定されてしまう。
【発明の概要】
【課題を解決するための手段】
【０００７】
本発明の実施形態は、セル間の干渉を効果的に低減し、システム容量を増加させながら、転送ネットワークの帯域幅に対する要求を低減し、その結果、C-RANシステムの配備および使用を容易にするために、ワイヤレスネットワーク機能設定方法、ワイヤレス・ネットワーク・ノード、およびコア・ネットワーク・デバイスを提供する。
【０００８】
第1の態様によれば、本発明の一実施形態は、ワイヤレスネットワーク機能設定方法を提供し、本方法は、
第1のワイヤレス・ネットワーク・ノードにより、第1のワイヤレス・ネットワーク・ノードおよび第2のワイヤレス・ネットワーク・ノードがワイヤレスネットワーク機能設定を行うために使用する機能設定ポリシーを決定するステップであって、
機能設定ポリシーが、ワイヤレスネットワーク機能のうちの、第1のワイヤレス・ネットワーク・ノードによって実施される、ワイヤレスネットワーク機能の第1の部分と、ワイヤレスネットワーク機能のうちの、第2のワイヤレス・ネットワーク・ノードによって実施される、ワイヤレスネットワーク機能の第2の部分とを含む、ステップと、
第1のワイヤレス・ネットワーク・ノードにより、機能設定ポリシー中の、第2のワイヤレス・ネットワーク・ノードによって実施される、ワイヤレスネットワーク機能の第1の部分に対応する機能設定情報を第2のワイヤレス・ネットワーク・ノードに送信し、それにより、第2のワイヤレス・ネットワーク・ノードが、機能設定情報に従って第2のワイヤレス・ネットワーク・ノードの機能設定を完了できるようになる、ステップと
を含む。
【０００９】
第1の態様に関連して、第1の態様の第1の可能な実施態様では、第1のワイヤレス・ネットワーク・ノードにより、第1のワイヤレス・ネットワーク・ノードおよび第2のワイヤレス・ネットワーク・ノードがワイヤレスネットワーク機能設定を行うために使用する機能設定ポリシーを決定するステップは、
第1のワイヤレス・ネットワーク・ノードにより、ローカルポリシーに従って、第1のワイヤレス・ネットワーク・ノードおよび第2のワイヤレス・ネットワーク・ノードがワイヤレスネットワーク機能設定を行うために使用する機能設定ポリシーを決定するステップであって、
ローカルポリシーが、第1のワイヤレス・ネットワーク・ノードのために運用・管理・保守OAMデバイスによって予め設定される、ステップ
を含む。
【００１０】
第1の態様に関連して、第1の態様の第2の可能な実施態様では、第1のワイヤレス・ネットワーク・ノードにより、第1のワイヤレス・ネットワーク・ノードおよび第2のワイヤレス・ネットワーク・ノードがワイヤレスネットワーク機能設定を行うために使用する機能設定ポリシーを決定するステップの前に、本方法は、
第1のワイヤレス・ネットワーク・ノードにより、機能設定パラメータを取得するステップと、
第1のワイヤレス・ネットワーク・ノードにより、取得した機能設定パラメータの少なくとも1つに従って、第1のワイヤレス・ネットワーク・ノードおよび第2のワイヤレス・ネットワーク・ノードの機能設定ポリシーを決定するステップと
をさらに含む。
【００１１】
第1の態様の第2の可能な実施態様に関連して、第1の態様の第3の可能な実施態様では、機能設定パラメータは、以下、すなわち、サービス品質QoSまたはバックホールリンク使用情報、のうちの少なくとも1つを含む。
【００１２】
第1の態様の第3の可能な実施態様に関連して、第1の態様の第4の可能な実施態様では、第1のワイヤレス・ネットワーク・ノードにより、サービス品質QoSを取得するステップは、
第1のワイヤレス・ネットワーク・ノードにより、コア・ネットワーク・デバイスによって送信されたサービス品質QoSを受信するステップ
を含む。
【００１３】
第1の態様の第3または第4の可能な実施態様に関連して、第1の態様の第5の可能な実施態様では、サービス品質QoSは、以下のパラメータ、すなわち、サービス遅延、サービス優先順位識別子、またはサービス伝送速度、のうちの少なくとも1つを含む。
【００１４】
第1の態様の第3の可能な実施態様に関連して、第1の態様の第6の可能な実施態様では、第1のワイヤレス・ネットワーク・ノードにより、バックホールリンク使用情報を取得するステップは、
第1のワイヤレス・ネットワーク・ノードにより、監視によって第1のワイヤレス・ネットワーク・ノードにより取得されるバックホールリンク使用情報を取得するステップ、または
第1のワイヤレス・ネットワーク・ノードにより、コア・ネットワーク・デバイスによって送信されるバックホールリンク使用情報を受信するステップ、または
第1のワイヤレス・ネットワーク・ノードにより、バックホール・リンク・ノードによって送信されるバックホールリンク使用情報を受信するステップ
を含む。
【００１５】
第1の態様の第6の可能な実施態様に関連して、第1の態様の第7の可能な実施態様では、バックホールリンク使用情報は、以下、すなわち、バックホールリンク負荷情報またはバックホールリンク遅延情報、のうちの少なくとも1つを含む。
【００１６】
第1の態様または第1の態様の第1から第7の可能な実施態様のいずれかに関連して、第1の態様の第8の可能な実施態様では、機能分割ポリシーは、以下、すなわち、
ワイヤレスネットワーク機能のうちの、第1のワイヤレス・ネットワーク・ノードによって実施される必要がある、ワイヤレスネットワーク機能の第1の部分が、パケット・データ・コンバージェンス・プロトコルPDCP層およびPDCP層の上位層に対応する機能、無線リンク制御RLC層およびRLC層の上位層に対応する機能、もしくは媒体アクセス制御MAC層およびMAC層の上位層に対応する機能を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと、または
ワイヤレスネットワーク機能のうちの、第1のワイヤレス・ネットワーク・ノードによって実施される必要がある、ワイヤレスネットワーク機能の第1の部分が、PDCP層およびPDCP層の上位層に対応する機能の一部、RLC層およびRLC層の上位層に対応する機能の一部、もしくはMAC層およびMAC層の上位層に対応する機能の一部を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと
のいずれかを含む。
【００１７】
第1の態様または第1の態様の第1から第8の可能な実施態様のいずれかに関連して、第1の態様の第9の可能な実施態様では、第1のワイヤレス・ネットワーク・ノードにより、機能設定情報を第2のワイヤレス・ネットワーク・ノードに送信するステップは、
第1のワイヤレス・ネットワーク・ノードにより、ネットワーク機能設定指示情報を第2のワイヤレス・ネットワーク・ノードに送信するステップであって、ネットワーク機能設定指示情報が、機能設定情報を搬送する、ステップ
を含む。
【００１８】
第1の態様または第1の態様の第1から第9の可能な実施態様のいずれかに関連して、第1の態様の第10の可能な実施態様では、第1のワイヤレス・ネットワーク・ノードは、無線アクセスコントローラRCであり、第2のワイヤレス・ネットワーク・ノードは、無線アクセスポイントRAPである。
【００１９】
第2の態様によれば、本発明の一実施形態は、ワイヤレスネットワーク機能設定方法を提供し、本方法は、
コア・ネットワーク・デバイスにより、第1のワイヤレス・ネットワーク・ノードがワイヤレスネットワーク機能設定を行うために使用する機能設定パラメータを決定するステップと、
決定された機能設定パラメータを第1のワイヤレス・ネットワーク・ノードに送信するステップと
を含む。
【００２０】
第2の態様に関連して、第2の態様の第1の可能な実施態様では、機能設定パラメータは、以下、すなわち、サービス品質QoSまたはバックホールリンク使用情報、のうちの少なくとも1つを含む。
【００２１】
第2の態様に関連して、第2の態様の第2の可能な実施態様では、機能設定パラメータがサービス品質QoSを含むとき、コア・ネットワーク・デバイスにより、第1のワイヤレス・ネットワーク・ノードがワイヤレスネットワーク機能設定を行うために使用する機能設定パラメータを決定するステップは、
コア・ネットワーク・デバイスにより、ユーザ機器UEによって送信された、開始されたサービスの受信されたサービスパラメータに従って、サービス品質QoSを決定するステップ、または
コア・ネットワーク・デバイスにより、ネットワークコントローラによって送信された、受信されたバックホールリンク使用情報に従って、サービス品質QoSを決定するステップ、または
コア・ネットワーク・デバイスにより、UEによって送信された、開始されたサービスの受信されたサービスパラメータ、およびネットワークコントローラによって送信された、受信されたバックホールリンク使用情報に従って、サービス品質QoSを決定するステップ
を含む。
【００２２】
第2の態様の第1の可能な実施態様に関連して、第2の態様の第3の可能な実施態様では、サービスパラメータは、伝送速度を含む。
【００２３】
第2の態様の第1または第2の可能な実施態様に関連して、第2の態様の第4の可能な実施態様では、バックホールリンク使用情報は、以下、すなわち、バックホールリンク負荷情報またはバックホールリンク遅延情報、のうちの少なくとも1つを含む。
【００２４】
第3の態様によれば、本発明の一実施形態は、第1のワイヤレス・ネットワーク・ノードを提供し、第1のワイヤレス・ネットワーク・ノードは、
第1のワイヤレス・ネットワーク・ノードおよび第2のワイヤレス・ネットワーク・ノードがワイヤレスネットワーク機能設定を行うために使用する機能設定ポリシーを決定するように構成される決定ユニットであって、
機能設定ポリシーが、ワイヤレスネットワーク機能のうちの、第1のワイヤレス・ネットワーク・ノードによって実施される、ワイヤレスネットワーク機能の第1の部分と、ワイヤレスネットワーク機能のうちの、第2のワイヤレス・ネットワーク・ノードによって実施される、ワイヤレスネットワーク機能の第2の部分とを含む、決定ユニットと、
決定ユニットによって決定された機能設定ポリシー中の、第2のワイヤレス・ネットワーク・ノードによって実施される、ワイヤレスネットワーク機能の第1の部分に対応する機能設定情報を第2のワイヤレス・ネットワーク・ノードに送信するように構成され、それにより、第2のワイヤレス・ネットワーク・ノードが、機能設定情報に従って第2のワイヤレス・ネットワーク・ノードの機能設定を完了できるようになる、送信ユニットと
を含む。
【００２５】
第3の態様に関連して、第3の態様の第1の可能な実施態様では、決定ユニットは、
ローカルポリシーに従って、第1のワイヤレス・ネットワーク・ノードおよび第2のワイヤレス・ネットワーク・ノードがワイヤレスネットワーク機能設定を行うために使用する機能設定ポリシーを決定するように特に構成され、
ローカルポリシーは、第1のワイヤレス・ネットワーク・ノードのために運用・管理・保守OAMデバイスによって予め設定される。
【００２６】
第3の態様に関連して、第3の態様の第2の可能な実施態様では、第1のワイヤレス・ネットワーク・ノードは、
第1のワイヤレス・ネットワーク・ノードおよび第2のワイヤレス・ネットワーク・ノードがワイヤレスネットワーク機能設定を行うために使用する機能設定ポリシーを決定ユニットが決定する前に、機能設定パラメータを取得するように構成される取得ユニット
をさらに含み、
決定ユニットは、取得ユニットによって取得された機能設定パラメータの少なくとも1つに従って、第1のワイヤレス・ネットワーク・ノードおよび第2のワイヤレス・ネットワーク・ノードの機能設定ポリシーを決定するように特に構成される。
【００２７】
第3の態様の第2の可能な実施態様に関連して、第3の態様の第3の可能な実施態様では、機能設定パラメータは、以下、すなわち、サービス品質QoSまたはバックホールリンク使用情報、のうちの少なくとも1つを含む。
【００２８】
第3の態様の第3の可能な実施態様に関連して、第3の態様の第4の可能な実施態様では、サービス品質QoSを取得するとき、取得ユニットは、コア・ネットワーク・デバイスによって送信されたサービス品質QoSを受信するように特に構成される。
【００２９】
第3の態様の第3または第4の可能な実施態様に関連して、第3の態様の第5の可能な実施態様では、サービス品質QoSは、以下のパラメータ、すなわち、サービス遅延、サービス優先順位識別子、またはサービス伝送速度、のうちの少なくとも1つを含む。
【００３０】
第3の態様の第3の可能な実施態様に関連して、第3の態様の第6の可能な実施態様では、バックホールリンク使用情報を取得するとき、取得ユニットは、監視によって取得ユニットにより取得されるバックホールリンク使用情報を取得するか、コアネットワークによって送信されるバックホールリンク使用情報を受信するか、またはバックホール・リンク・ノードによって送信されるバックホールリンク使用情報を受信するように特に構成される。
【００３１】
第3の態様の第6の可能な実施態様に関連して、第3の態様の第7の可能な実施態様では、バックホールリンク使用情報は、以下、すなわち、バックホールリンク負荷情報またはバックホールリンク遅延情報、のうちの少なくとも1つを含む。
【００３２】
第3の態様または第3の態様の第1から第7の可能な実施態様のいずれかに関連して、第3の態様の第8の可能な実施態様では、機能分割ポリシーは、以下、すなわち、
ワイヤレスネットワーク機能のうちの、第1のワイヤレス・ネットワーク・ノードによって実施される必要がある、ワイヤレスネットワーク機能の第1の部分が、パケット・データ・コンバージェンス・プロトコルPDCP層およびPDCP層の上位層に対応する機能、無線リンク制御RLC層およびRLC層の上位層に対応する機能、もしくは媒体アクセス制御MAC層およびMAC層の上位層に対応する機能を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと、または
ワイヤレスネットワーク機能のうちの、第1のワイヤレス・ネットワーク・ノードによって実施される必要がある、ワイヤレスネットワーク機能の第1の部分が、PDCP層およびPDCP層の上位層に対応する機能の一部、RLC層およびRLC層の上位層に対応する機能の一部、もしくはMAC層およびMAC層の上位層に対応する機能の一部を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと
のいずれかを含む。
【００３３】
第3の態様または第3の態様の第1から第8の可能な実施態様のいずれかに関連して、第3の態様の第9の可能な実施態様では、送信ユニットは、ネットワーク機能設定指示情報を第2のワイヤレス・ネットワーク・ノードに送信するように特に構成され、ネットワーク機能設定指示情報は機能設定情報を搬送する。
【００３４】
第3の態様または第3の態様の第1から第9の可能な実施態様のいずれかに関連して、第3の態様の第10の可能な実施態様では、第1のワイヤレス・ネットワーク・ノードは、無線アクセスコントローラRCであり、第2のワイヤレス・ネットワーク・ノードは、無線アクセスポイントRAPである。
【００３５】
第4の態様によれば、本発明の一実施形態は、コア・ネットワーク・デバイスを提供し、コア・ネットワーク・デバイスは、
第1のワイヤレス・ネットワーク・ノードがワイヤレスネットワーク機能設定を行うために使用する機能設定パラメータを決定するように構成される決定ユニットと、
決定ユニットによって決定された機能設定パラメータを第1のワイヤレス・ネットワーク・ノードに送信するように構成される送信ユニットと
を含む。
【００３６】
第4の態様に関連して、第4の態様の第1の可能な実施態様では、機能設定パラメータは、以下、すなわち、サービス品質QoSまたはバックホールリンク使用情報、のうちの少なくとも1つを含む。
【００３７】
第4の態様に関連して、第4の態様の第2の可能な実施態様では、機能設定パラメータがサービス品質QoSを含むとき、コア・ネットワーク・デバイスは、
ユーザ機器UEによって送信される、開始されたサービスのサービスパラメータ、および／または、バックホールリンク使用情報を受信するように構成される受信ユニット
をさらに備え、
第1のワイヤレス・ネットワーク・ノードがワイヤレスネットワーク機能設定を行うために使用する機能設定パラメータを決定するとき、決定ユニットは、ユーザ機器UEによって送信され、受信ユニットによって受信された、開始されたサービスのサービスパラメータに従って、サービス品質QoSを決定するか、ネットワークコントローラによって送信され、受信ユニットによって受信されたバックホールリンク使用情報に従って、サービス品質QoSを決定するか、UEによって送信され、受信ユニットによって受信された、開始されたサービスのサービスパラメータ、およびネットワークコントローラによって送信された、受信されたバックホールリンク使用情報に従って、サービス品質QoSを決定するように特に構成される。
【００３８】
第4の態様の第1の可能な実施態様に関連して、第4の態様の第3の可能な実施態様では、サービスパラメータは、伝送速度を含む。
【００３９】
第4の態様の第1または第2の可能な実施態様に関連して、第4の態様の第4の可能な実施態様では、バックホールリンク使用情報は、以下、すなわち、バックホールリンク負荷情報またはバックホールリンク遅延情報、のうちの少なくとも1つを含む。
【発明の効果】
【００４０】
本発明の実施形態で提供される解決策によれば、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【図面の簡単な説明】
【００４１】
【図１】本発明の一実施形態によるワイヤレス・アクセス・ネットワーク・アーキテクチャの概略図である。
【図２】本発明の一実施形態によるワイヤレスネットワーク機能設定方法のフローチャートである。
【図３】本発明の一実施形態による別のワイヤレスネットワーク機能設定方法のフローチャートである。
【図４】本発明の一実施形態による第1のワイヤレス・ネットワーク・ノードの概略図である。
【図５】本発明の一実施形態によるコア・ネットワーク・デバイスの概略図である。
【図６】本発明の一実施形態による別の第1のワイヤレス・ネットワーク・ノードの概略図である。
【図７】本発明の一実施形態による別のコア・ネットワーク・デバイスの概略図である。
【発明を実施するための形態】
【００４２】
本発明の目的、技術的解決策、および利点をより明確にするために、以下では、添付の図面を参照して本発明をさらに詳細に説明する。当然ながら、説明されている実施形態は、本発明の実施形態のすべてではなく、その一部に過ぎない。創造的な努力なしに本発明の実施形態に基づいて当業者によって得られる他のすべての実施形態は、本発明の保護範囲内に入るものとする。
【００４３】
本発明の実施形態は、セル間の干渉を効果的に低減し、システム容量を増加させながら、転送ネットワークの帯域幅に対する要求を低減するために、ワイヤレスネットワーク機能設定方法、ワイヤレス・ネットワーク・ノード、およびコア・ネットワーク・デバイスを提供する。この方法、ワイヤレス・ネットワーク・ノード、およびコア・ネットワーク・デバイスは、同じ発明概念に基づく。この方法、ワイヤレス・ネットワーク・ノード、およびコア・ネットワーク・デバイスの問題解決の原理が同様であることから、この方法、ワイヤレス・ネットワーク・ノード、およびコア・ネットワーク・デバイスの実施態様間で相互参照を行うことができるため、繰り返しとなる説明は改めて行わない。
【００４４】
本発明の一実施形態は、ワイヤレス・アクセス・ネットワーク・アーキテクチャを提供する。図1に示すように、ワイヤレス・アクセス・ネットワーク・アーキテクチャは、無線アクセスポイント（英語：Radio Access Point、略してRAP）、無線アクセスコントローラ（英語：Radio Access Network Controlor、略してRC）、ネットワークコントローラ（英語：Network Controlor、略してNC）、およびTN（Transportation Network、転送ネットワーク、略してTN）を含む。RAP、RC、およびNCは、TNを使用して接続される。ワイヤレス・アクセス・ネットワーク・アーキテクチャのNCは、コア・ネットワーク・デバイスに接続される。
【００４５】
前述のワイヤレス・アクセス・ネットワーク・アーキテクチャは一例に過ぎず、NCはさらに、コア・ネットワーク・デバイスまたはRCに組み込まれた論理ノードであってもよい。
【００４６】
本発明の一実施形態は、ワイヤレスネットワーク機能設定方法を提供する。図2に示すように、この方法は、以下のステップを含む。
【００４７】
ステップ201：第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。
【００４８】
第1のワイヤレス・ネットワーク・ノードは、RCであってもよい。第2のワイヤレス・ネットワーク・ノードは、RAPであってもよい。
【００４９】
機能設定ポリシーは、ワイヤレスネットワーク機能のうちの、第1のワイヤレス・ネットワーク・ノードによって実施される、ワイヤレスネットワーク機能の第1の部分と、ワイヤレスネットワーク機能のうちの、第2のワイヤレス・ネットワーク・ノードによって実施される、ワイヤレスネットワーク機能の第2の部分とを含む。
【００５０】
ワイヤレスネットワーク機能は、以下の層、すなわち、パケット・データ・コンバージェンスPDCP層、無線リンク制御RLC層、媒体アクセス制御MAC層、および物理層に対応する機能を含む。
【００５１】
すべてのプロトコル層の機能は以下の通りである。
【００５２】
PDCP層：ヘッダ圧縮および情報セキュリティ（暗号化、復号化、ならびに情報完全性の保護および検証を含む）など。
【００５３】
RLC層：自動再送要求（英語：Automatic Repeat Request、略してARQ）、セグメント化、連結、および再ソートなど。
【００５４】
MAC層：スケジューリング、優先順位処理、およびハイブリッド自動再送要求（Hybrid Automatic Repeat Request、略してHARQ）など。
【００５５】
RRC層：システム・メッセージ・ブロードキャスト、ページング、RRC接続管理、セキュリティ管理、ベアラ管理、およびモビリティ管理など。
【００５６】
PHY層：変調／復調、符号化、およびマルチアンテナマッピングなど。
【００５７】
ステップ202：第1のワイヤレス・ネットワーク・ノードは、機能設定ポリシー中の、第2のワイヤレス・ネットワーク・ノードによって実施されるワイヤレスネットワーク機能に対応する機能設定情報を第2のワイヤレス・ネットワーク・ノードに送信し、これにより、第2のネットワークノードは、機能設定情報に従って第2のネットワークノードの機能設定を完了できるようになる。
【００５８】
任意選択で、ステップ201において、第1のワイヤレス・ネットワーク・ノードは、以下の方法で、第1のワイヤレス・ネットワーク・ノードおよび第2のワイヤレス・ネットワーク・ノードがワイヤレスネットワーク機能設定を行うために使用する機能設定ポリシーを決定してもよい。
【００５９】
実施態様1：
第1のワイヤレス・ネットワーク・ノードは、ローカルポリシーに従って、第1のワイヤレス・ネットワーク・ノードおよび第2のワイヤレス・ネットワーク・ノードがワイヤレスネットワーク機能設定を行うために使用する機能設定ポリシーを決定する。
【００６０】
ローカルポリシーは、第1のワイヤレス・ネットワーク・ノードのために運用・管理・保守（英語：operation administration and maintenance、略してOAM）デバイスによって予め設定される。
【００６１】
ローカルポリシーは以下であってもよい。
ワイヤレスネットワーク機能のうちの、第1のワイヤレス・ネットワーク・ノードによって実施される必要がある、ワイヤレスネットワーク機能の第1の部分は、パケット・データ・コンバージェンス・プロトコルPDCP層およびPDCP層の上位層に対応する機能、無線リンク制御RLC層およびRLC層の上位層に対応する機能、または媒体アクセス制御MAC層およびMAC層の上位層に対応する機能を含み、
ワイヤレスネットワーク機能のうちの、第2のワイヤレス・ネットワーク・ノードによって実施される必要がある、ワイヤレスネットワーク機能の第2の部分は、第1のワイヤレス・ネットワーク・ノードによって実施されるワイヤレスネットワーク機能以外の他のワイヤレスネットワーク機能を含む。
【００６２】
ローカルポリシーはさらに以下であってもよい。
ワイヤレスネットワーク機能のうちの、第1のワイヤレス・ネットワーク・ノードによって実施される必要がある、ワイヤレスネットワーク機能の第1の部分は、PDCP層およびPDCP層の上位層に対応する機能の一部、RLC層およびRLC層の上位層に対応する機能の一部、またはMAC層およびMAC層の上位層に対応する機能の一部を含み、
ワイヤレスネットワーク機能のうちの、第2のワイヤレス・ネットワーク・ノードによって実施される必要がある、ワイヤレスネットワーク機能の第2の部分は、第1のワイヤレス・ネットワーク・ノードによって実施されるワイヤレスネットワーク機能以外の他のワイヤレスネットワーク機能を含む。
【００６３】
ワイヤレスネットワーク機能層は、上から順に、PDCP層、RLC層、MAC層、および物理層を含む。
【００６４】
さらに、ローカルポリシーは、すべてのワイヤレス・ネットワーク・ノードによって実施されるワイヤレスネットワーク機能に対応する機能設定情報をさらに含んでもよい。
【００６５】
OAMデバイスによって設定されたローカルポリシーを受信すると、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーとしてローカルポリシーを使用し、ローカルポリシーに従って、第2のワイヤレス・ネットワーク・ノードによって実施されるワイヤレスネットワーク機能に対応する機能設定情報を決定し、次に、この機能設定情報を第2のワイヤレス・ネットワーク・ノードに送信する。このようにして、第2のワイヤレス・ネットワーク・ノードは、受信された機能設定情報に従って、第2のワイヤレス・ネットワーク・ノードの機能設定を完了する。
【００６６】
実施態様2：
第1のワイヤレス・ネットワーク・ノードおよび第2のワイヤレス・ネットワーク・ノードがワイヤレスネットワーク機能設定を行うために使用する機能設定ポリシーを決定する前に、第1のワイヤレス・ネットワーク・ノードは、機能設定パラメータを取得する。
【００６７】
機能設定パラメータは、以下、すなわち、サービス品質（英語：Quality of Services、略してQoS）またはバックホールリンク使用情報の少なくとも1つを含む。
【００６８】
バックホールリンクは、第1のワイヤレス・ネットワーク・ノードと第2のワイヤレス・ネットワーク・ノードとの間のリンクであってもよいし、第1のワイヤレス・ネットワーク・ノードとコア・ネットワーク・デバイスとの間のリンクであってもよい。
【００６９】
第1のワイヤレス・ネットワーク・ノードは、取得した機能設定パラメータの少なくとも1つに従って、第1のワイヤレス・ネットワーク・ノードおよび第2のワイヤレス・ネットワーク・ノードの機能設定ポリシーを決定する。
【００７０】
各ワイヤレスネットワーク機能層に対応するワイヤレスネットワーク機能設定パラメータは、OAMデバイスにより第1のワイヤレス・ネットワーク・ノードで予め設定されてもよい。
【００７１】
第1のワイヤレス・ネットワーク・ノードが、コアネットワークによって送信されたサービス品質QoSを受信すると、サービス品質QoSが取得される。
【００７２】
サービス品質QoSは、以下のパラメータ、すなわち、サービス遅延、サービス優先順位識別子、またはサービス伝送速度の少なくとも1つを含む。
【００７３】
具体的には、サービス品質QoSは、第1のワイヤレス・ネットワーク・ノードに関連するすべての端末のすべてのサービスのQoSの平均値であってもよい。
【００７４】
端末およびコアネットワークは、端末の各サービスのQoSをネゴシエートし、次に、コアネットワークは、端末の各サービスのネゴシエートされたQoSを第1のワイヤレス・ネットワーク・ノードに送信する。次に、端末の各サービスのQoSを受信した後、第1のワイヤレス・ネットワーク・ノードは、すべてのサービスのQoSの平均値を取得し、この平均値を端末のサービス品質QoSとして記憶して使用する。
【００７５】
第1のワイヤレス・ネットワーク・ノードは、コアネットワークによって送信された、各端末の各サービスのQoSを受信し、次に、各端末の各サービスのQoSに基づいて、すべてのサービスのQoSの平均値を計算し、この平均値を記憶し、この平均値を端末のサービス品質QoSとして使用する。次に、すべての端末のサービス品質QoSが定期的に収集され、平均値が取得される。第1のワイヤレス・ネットワーク・ノードおよび第2のワイヤレス・ネットワーク・ノードがワイヤレスネットワーク機能設定を行うために使用する機能設定ポリシーは、サービス品質QoSの取得された平均値に従って決定される。
【００７６】
例えば、サービス品質QoS（一例としてサービス遅延を用いる）の範囲に対応する機能設定ポリシーは、表1に示すように予め設定されてもよい。
【００７７】
【表１】
0006609645.tif 000002
【００７８】
あるいは、サービス品質QoSは、第1のワイヤレス・ネットワーク・ノードに関連する端末のすべてのサービスのQoSの平均値であってもよい。
【００７９】
具体的には、端末およびコア・ネットワーク・デバイスは、端末の各サービスのQoSをネゴシエートし、次に、コア・ネットワーク・デバイスは、端末の各サービスのネゴシエートされたQoSを第1のワイヤレス・ネットワーク・ノードに送信する。次に、端末の各サービスのQoSを受信した後、第1のワイヤレス・ネットワーク・ノードは、すべてのサービスのQoSの平均値を取得し、この平均値を端末のサービス品質QoSとして記憶して使用する。第1のワイヤレス・ネットワーク・ノードは、端末のサービス品質QoSに従って端末のために、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、第1のワイヤレス・ネットワーク・ノードに関連するすべての端末のためにワイヤレスネットワーク機能設定を行い、これにより、第1のワイヤレス・ネットワーク・ノードは、すべての端末のサービスを別々に処理できるようになる。
【００８０】
あるいは、サービス品質QoSは、第1のワイヤレス・ネットワーク・ノードに関連する端末のサービスのQoSであってもよい。
【００８１】
具体的には、端末およびコア・ネットワーク・デバイスは、端末のサービスのQoSをネゴシエートし、次に、コアネットワークは、端末のサービスのネゴシエートされたQoSを第1のワイヤレス・ネットワーク・ノードに送信する。次に、端末のサービスのQoSを受信した後、第1のワイヤレス・ネットワーク・ノードは、端末のサービス品質QoSに従って端末のサービスのために、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、端末のすべてのサービスのためにワイヤレスネットワーク機能設定を行い、これにより、第1のワイヤレス・ネットワーク・ノードは、端末のすべてのサービスを別々に処理できるようになり、その結果、第1のワイヤレス・ネットワーク・ノードに関連する端末のすべてのサービスのためにワイヤレスネットワーク機能設定を別々に行うことができるようになる。
【００８２】
例えば、第1のワイヤレス・ネットワーク・ノードは、RCであり、第2のワイヤレス・ネットワーク・ノードは、RAPである。ネットワークコントローラは、バックホールネットワーク上の各バックホールリンクの使用情報を収集して監視し、RCまたはRAPを使用して、各バックホールリンクの使用情報をRAPに関連する各端末に送信する。
【００８３】
サービスを開始するとき、端末は、バックホールリンクの使用情報に従って、伝送速度範囲などのサービスパラメータを選択する。次に、端末は、端末によって選択されたサービスパラメータに従って、端末のサービスの実際のサービスパラメータについてピアエンドとネゴシエートし、次に、ネゴシエートされたサービスパラメータをコア・ネットワーク・デバイスに送信する。例えば、端末が選択した伝送速度範囲が、Aであり、ピアエンドがサポートできる伝送速度範囲が、Bである場合、ネゴシエートされた伝送速度範囲は、AとBの共通部分であってもよい。
【００８４】
次に、コア・ネットワーク・デバイスは、端末によって開始されたサービスのサービスパラメータに従ってサービスのサービス品質QoSを決定し、サービスの決定されたサービス品質QoSをRCに送信する。次に、RCは、サービスのサービス品質QoSに従って端末のサービスのために、RCおよびRAPがワイヤレスネットワーク機能設定を行うために使用する機能設定ポリシーを決定する。RCは、サービスのサービス品質QoSおよびバックホールリンクの予め取得した使用情報に従って端末のサービスのために、RCおよびRAPがワイヤレスネットワーク機能設定を行うために使用する機能設定ポリシーをさらに決定してもよい。
【００８５】
第1のワイヤレス・ネットワーク・ノードによってバックホールリンク使用情報を取得するための特定の方法は、以下の方法を含んでもよいが、これに限定されない。
【００８６】
実施態様1：
第1のワイヤレス・ネットワーク・ノードは、監視によって取得されるバックホールリンク使用情報を取得する。
【００８７】
実施態様2：
第1のワイヤレス・ネットワーク・ノードは、コア・ネットワーク・デバイスによって送信されるバックホールリンク使用情報を受信する。
【００８８】
実施態様3：
第1のワイヤレス・ネットワーク・ノードは、バックホール・リンク・ノードによって送信されるバックホールリンク使用情報を受信する。
【００８９】
バックホールリンク使用情報は、以下、すなわち、バックホールリンク負荷情報またはバックホールリンク遅延情報の少なくとも1つを含んでもよい。
【００９０】
バックホールリンク負荷情報は、バックホールリンク負荷量のパーセンテージまたはバックホールリンク帯域幅利用率であってもよいし、バックホールリンク負荷量およびバックホールリンクの総許容負荷量であってもよい。バックホールリンク遅延情報は、バックホールリンクを介して伝送されるデータパケットの平均遅延であってもよい。
【００９１】
例えば、サービス品質QoS（一例としてサービス遅延を用いる）およびバックホールリンク負荷量の範囲に対応する機能設定ポリシーは、表2に示すように予め設定されてもよい。
【００９２】
【表２】
0006609645.tif 000003
【００９３】
任意選択で、第1のワイヤレス・ネットワーク・ノードおよび第2のワイヤレス・ネットワーク・ノードがワイヤレスネットワーク機能設定を行うために使用する機能設定ポリシーを決定するとき、第1のワイヤレス・ネットワーク・ノードは、第1のワイヤレス・ネットワーク・ノードおよび第2のワイヤレス・ネットワーク・ノードのワイヤレスネットワーク機能設定能力を予め判定する。例えば、RAPがMAC層に対応する機能をサポートしているかどうかが判定される。
【００９４】
あるいは、言うまでもなく、サービス品質QoS（一例としてサービス遅延を用いる）およびバックホールリンク負荷量の範囲に対応する機能設定ポリシーが予め設定されるとき、RAPおよびRCがサポートすることできるワイヤレスネットワーク機能が決定され、次に、サービス品質QoS（一例としてサービス遅延を用いる）およびバックホールリンク負荷量の範囲に対応する機能設定ポリシーが、RAPおよびRCがサポートすることできる決定されたワイヤレスネットワーク機能に従って設定されてもよい。
【００９５】
任意選択で、ステップ202において、機能設定情報を第2のワイヤレス・ネットワーク・ノードに送信するとき、第1のワイヤレス・ネットワーク・ノードは、機能設定情報を第2のワイヤレス・ネットワーク・ノードに直接送信してもよいし、機能設定情報をネットワーク機能設定指示メッセージに追加し、ネットワーク機能設定指示メッセージを第2のワイヤレス・ネットワーク・ノードに送信してもよい。
【００９６】
任意選択で、第1のワイヤレス・ネットワーク・ノードが第2のワイヤレス・ネットワーク・ノードに機能設定情報を送信する前に、第1のワイヤレス・ネットワーク・ノードは、ユーザのために選択されるユーザデータルーティング情報および／またはゲートウェイ情報をさらに決定してもよい。
【００９７】
例えば、第1のワイヤレス・ネットワーク・ノードは、RCであってもよく、第2のワイヤレス・ネットワーク・ノードは、RAPであってもよい。ネットワークコントローラは、バックホールネットワーク上の各バックホールリンクの使用情報を収集して監視し、RCまたはRAPを使用して、各バックホールリンクの使用情報をRAPに関連する各端末に送信する。
【００９８】
サービスを開始するとき、端末は、バックホールリンクの使用情報に従って、伝送速度範囲などのサービスパラメータを選択する。次に、端末は、端末のサービスの実際のサービスパラメータについてピアエンドとネゴシエートし、次に、ネゴシエートされたサービスパラメータをコア・ネットワーク・デバイスに送信する。コア・ネットワーク・デバイスは、端末によって開始されたサービスのサービスパラメータをネットワークコントローラに送信する。ネットワークコントローラは、サービスのサービスパラメータおよびバックホールリンク使用情報に従って、端末によって開始されたサービスのユーザ・プレーン・パスを選択し、すなわち、ユーザ・プレーン・ゲートウェイを選択し、選択したユーザ・プレーン・パスに関する情報をコア・ネットワーク・デバイスおよびRCに送信する。
【００９９】
例えば、端末に最も近い（「近い」は、本明細書では短い物理的距離を指す）ユーザ・プレーン・ゲートウェイに対応するバックホールリンク帯域幅利用率が比較的高い場合、端末に2番目に近いユーザ・プレーン・ゲートウェイがさらに選択されてもよい。あるいは、バックホールリンク帯域幅利用率が最も低いバックホールリンクに対応するユーザ・プレーン・ゲートウェイが選択されてもよい。
【０１００】
次に、コア・ネットワーク・デバイスは、端末によって開始されたサービスのサービスパラメータおよびサービスのユーザ・プレーン・パスに関する情報に従ってサービスのサービス品質QoSを決定し、サービスの決定されたサービス品質QoSをRCに送信する。次に、RCは、サービスのサービス品質QoSに従って端末のサービスのために、RCおよびRAPがワイヤレスネットワーク機能設定を行うために使用する機能設定ポリシーを決定する。
【０１０１】
本発明のこの実施形態で提供される解決策によれば、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１０２】
本発明の一実施形態は、ワイヤレスネットワーク機能設定方法をさらに提供する。図3に示すように、この方法は、以下を含む。
【０１０３】
ステップ301：コア・ネットワーク・デバイスは、第1のワイヤレス・ネットワーク・ノードがワイヤレスネットワーク機能設定を行うために使用する機能設定パラメータを決定する。
【０１０４】
ステップ302：コア・ネットワーク・デバイスは、決定された機能設定パラメータを第1のワイヤレス・ネットワーク・ノードに送信する。
【０１０５】
機能設定パラメータを受信した後、第1のワイヤレス・ネットワーク・ノードは、機能設定パラメータに従って、第1のワイヤレス・ネットワーク・ノードおよび第2のワイヤレス・ネットワーク・ノードがワイヤレスネットワーク機能設定を行うために使用する機能設定ポリシーを決定する。
【０１０６】
第1のワイヤレス・ネットワーク・ノードは、RCであってもよい。第2のワイヤレス・ネットワーク・ノードは、RAPであってもよい。
【０１０７】
機能設定ポリシーは、ワイヤレスネットワーク機能のうちの、第1のワイヤレス・ネットワーク・ノードによって実施される、ワイヤレスネットワーク機能の一部分と、第1のワイヤレス・ネットワーク・ノードによって実施される、ワイヤレスネットワーク機能の一部以外の、第2のワイヤレス・ネットワーク・ノードによって実施される、ワイヤレスネットワーク機能の別の部分とを含む。
【０１０８】
ワイヤレスネットワーク機能は、以下の層、すなわち、パケット・データ・コンバージェンスPDCP層、無線リンク制御RLC層、媒体アクセス制御MAC層、および物理層に対応する機能を少なくとも含む。
【０１０９】
機能設定パラメータは、以下、すなわち、サービス品質QoSまたはバックホールリンク使用情報の少なくとも1つを含む。
【０１１０】
機能設定パラメータがサービス品質QoSを含むとき、第1のワイヤレス・ネットワーク・ノードがワイヤレスネットワーク機能設定を行うために使用する機能設定パラメータをコア・ネットワーク・デバイスによって決定するための方法は、以下の通りであってもよい。
【０１１１】
実施態様1：
コア・ネットワーク・デバイスは、ユーザ機器UEによって送信された、開始されたサービスの受信されたサービスパラメータに従ってサービス品質QoSを決定する。
【０１１２】
サービスパラメータは、伝送速度を含む。
【０１１３】
実施態様2：
コア・ネットワーク・デバイスは、ネットワークコントローラによって送信された、受信されたバックホールリンク使用情報に従ってサービス品質QoSを決定する。
【０１１４】
実施態様3：
コア・ネットワーク・デバイスは、ユーザ機器UEによって送信された、開始されたサービスの受信されたサービスパラメータと、ネットワークコントローラによって送信された、受信されたバックホールリンク使用情報とに従ってサービス品質QoSを決定する。
【０１１５】
バックホールリンク使用情報は、以下、すなわち、バックホールリンク負荷情報またはバックホールリンク遅延情報の少なくとも1つを含む。
【０１１６】
本発明のこの実施形態で提供される解決策によれば、コア・ネットワーク・デバイスは、第1のワイヤレス・ネットワーク・ノードがワイヤレスネットワーク機能設定を行うために使用する機能設定パラメータを決定し、コア・ネットワーク・デバイスは、決定された機能設定パラメータを第1のワイヤレス・ネットワーク・ノードに送信する。次に、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１１７】
ワイヤレスネットワーク機能設定方法と同じ発明概念に基づいて、本発明の一実施形態は、第1のワイヤレス・ネットワーク・ノードをさらに提供する。図4に示すように、第1のワイヤレス・ネットワーク・ノードは、以下を含み、第1のワイヤレス・ネットワーク・ノードは、RCであってもよく、第2のワイヤレス・ネットワーク・ノードは、RAPであってもよい。
【０１１８】
第1のワイヤレス・ネットワーク・ノードおよび第2のワイヤレス・ネットワーク・ノードがワイヤレスネットワーク機能設定を行うために使用する機能設定ポリシーを決定するように構成される決定ユニット401であって、
機能設定ポリシーが、ワイヤレスネットワーク機能のうちの、第1のワイヤレス・ネットワーク・ノードによって実施される、ワイヤレスネットワーク機能の第1の部分と、ワイヤレスネットワーク機能のうちの、第2のワイヤレス・ネットワーク・ノードによって実施される、ワイヤレスネットワーク機能の第2の部分とを含む、決定ユニット401、および
機能設定ポリシー中の、第2のワイヤレス・ネットワーク・ノードによって実施される、ワイヤレスネットワーク機能の第1の部分に対応する機能設定情報を第2のワイヤレス・ネットワーク・ノードに送信するように構成される送信ユニット402であって、それにより、第2のワイヤレス・ネットワーク・ノードが、機能設定情報に従って第2のワイヤレス・ネットワーク・ノードの機能設定を完了できるようにする、送信ユニット402。
【０１１９】
任意選択の実施形態では、決定ユニット401は、
ローカルポリシーに従って、第1のワイヤレス・ネットワーク・ノードおよび第2のワイヤレス・ネットワーク・ノードがワイヤレスネットワーク機能設定を行うために使用する機能設定ポリシーを決定するように特に構成され、
ローカルポリシーは、第1のワイヤレス・ネットワーク・ノードのために運用・管理・保守OAMデバイスによって予め設定される。
【０１２０】
別の任意選択の実施形態では、第1のワイヤレス・ネットワーク・ノードは、図4の破線のボックスによって示す取得ユニット403をさらに含んでもよい。
【０１２１】
取得ユニット403は、決定ユニット401が、第1のワイヤレス・ネットワーク・ノードおよび第2のワイヤレス・ネットワーク・ノードがワイヤレスネットワーク機能設定を行うために使用する機能設定ポリシーを決定する前に、機能設定パラメータを取得するように構成される。
【０１２２】
決定ユニット401は、取得ユニット403によって取得された機能設定パラメータの少なくとも1つに従って、第1のワイヤレス・ネットワーク・ノードおよび第2のワイヤレス・ネットワーク・ノードの機能設定ポリシーを決定するように特に構成される。
【０１２３】
さらに、機能設定パラメータは、以下、すなわち、サービス品質QoSまたはバックホールリンク使用情報の少なくとも1つを含んでもよい。
【０１２４】
任意選択で、取得ユニット403は、以下の方法で、すなわち、コア・ネットワーク・デバイスによって送信されたサービス品質QoSを受信することで、サービス品質QoSを取得してもよい。
【０１２５】
サービス品質QoSは、以下のパラメータ、すなわち、サービス遅延、サービス優先順位識別子、またはサービス伝送速度の少なくとも1つを含んでもよい。
【０１２６】
任意選択で、バックホールリンク使用情報を取得するとき、取得ユニット403は、監視によって取得ユニット403により取得されるバックホールリンク使用情報を取得するか、コア・ネットワーク・デバイスによって送信されるバックホールリンク使用情報を受信するか、またはバックホール・リンク・ノードによって送信されるバックホールリンク使用情報を受信するように特に構成される。
【０１２７】
バックホールリンク使用情報は、以下、すなわち、バックホールリンク負荷情報またはバックホールリンク遅延情報の少なくとも1つを含む。
【０１２８】
任意選択で、機能分割ポリシーは、以下、すなわち、
ワイヤレスネットワーク機能のうちの、第1のワイヤレス・ネットワーク・ノードによって実施される必要がある、ワイヤレスネットワーク機能の第1の部分が、パケット・データ・コンバージェンス・プロトコルPDCP層およびPDCP層の上位層に対応する機能、無線リンク制御RLC層およびRLC層の上位層に対応する機能、もしくは媒体アクセス制御MAC層およびMAC層の上位層に対応する機能を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと、または
ワイヤレスネットワーク機能のうちの、第1のワイヤレス・ネットワーク・ノードによって実施される必要がある、ワイヤレスネットワーク機能の第1の部分が、PDCP層およびPDCP層の上位層に対応する機能の一部、RLC層およびRLC層の上位層に対応する機能の一部、もしくはMAC層およびMAC層の上位層に対応する機能の一部を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと
のいずれかを含んでもよい。
【０１２９】
任意選択で、決定ユニット401によって決定された機能設定ポリシー中の、第2のワイヤレス・ネットワーク・ノードによって実施される、ワイヤレスネットワーク機能の第1の部分に対応する機能設定情報を第2のワイヤレス・ネットワーク・ノードに送信するとき、送信ユニット402は、
機能設定情報を搬送するネットワーク機能設定指示情報を第2のワイヤレス・ネットワーク・ノードに送信するように特に構成される。
【０１３０】
本発明で提供されるワイヤレス・ネットワーク・ノードの実施形態および方法の実施形態は、同じ発明概念に基づいていることに留意されたい。この方法およびデバイスの問題解決の原理が同様であることから、デバイスおよび方法の実施態様間で相互参照を行うことができるため、繰り返しとなる説明は改めて行わない。
【０１３１】
本発明のこの実施形態で提供される解決策によれば、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１３２】
本発明の一実施形態は、コア・ネットワーク・デバイスをさらに提供する。図5に示すように、このデバイスは、
第1のワイヤレス・ネットワーク・ノードがワイヤレスネットワーク機能設定を行うために使用する機能設定パラメータを決定するように構成される決定ユニット501と、
決定ユニット501によって決定された機能設定パラメータを第1のワイヤレス・ネットワーク・ノードに送信するように構成される送信ユニット502と
を含む。
【０１３３】
機能設定パラメータは、以下、すなわち、サービス品質QoSまたはバックホールリンク使用情報の少なくとも1つを含んでもよい。
【０１３４】
機能設定パラメータがサービス品質QoSを含むとき、デバイスは、
ユーザ機器UEによって送信される、開始されたサービスのサービスパラメータおよび／またはバックホールリンク使用情報を受信するように構成される受信ユニット503
をさらに含んでもよい。
【０１３５】
第1のワイヤレス・ネットワーク・ノードがワイヤレスネットワーク機能設定を行うために使用する機能設定パラメータを決定するとき、決定ユニット501は、ユーザ機器UEによって送信され、受信ユニット503によって受信された、開始されたサービスのサービスパラメータに従ってサービス品質QoSを決定するか、ネットワークコントローラによって送信され、受信ユニット503によって受信されたバックホールリンク使用情報に従ってサービス品質QoSを決定するか、UEによって送信され、受信ユニット503によって受信された、開始されたサービスのサービスパラメータと、ネットワークコントローラによって送信され、受信されたバックホールリンク使用情報とに従ってサービス品質QoSを決定するように特に構成される。
【０１３６】
サービスパラメータは、伝送速度を含んでもよい。
【０１３７】
バックホールリンク使用情報は、以下、すなわち、バックホールリンク負荷情報またはバックホールリンク遅延情報の少なくとも1つを含んでもよい。
【０１３８】
本発明で提供されるコア・ネットワーク・デバイスの実施形態および方法の実施形態は、同じ発明概念に基づいていることに留意されたい。この方法およびデバイスの問題解決の原理が同様であることから、デバイスおよび方法の実施態様間で相互参照を行うことができるため、繰り返しとなる説明は改めて行わない。
【０１３９】
本発明のこの実施形態で提供される解決策によれば、コア・ネットワーク・デバイスは、第1のワイヤレス・ネットワーク・ノードがワイヤレスネットワーク機能設定を行うために使用する機能設定パラメータを決定し、コア・ネットワーク・デバイスは、決定された機能設定パラメータを第1のワイヤレス・ネットワーク・ノードに送信する。次に、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１４０】
本発明の一実施形態は、RCによって実施され得る第1のワイヤレス・ネットワーク・ノードをさらに提供する。図6に示すように、デバイスは、トランシーバ601、プロセッサ602、およびメモリ603を含む。トランシーバ601と、プロセッサ602と、メモリ603とは互いに接続される。前述の構成要素を接続するために使用される媒体は、本発明のこの実施形態では特に限定されない。図6における、本発明のこの実施形態では、メモリ603と、プロセッサ602と、トランシーバとは、バス604を使用して接続される。図6において、バスは、太線を使用して示されている。他の構成要素を接続するための方法は、説明のために一例として使用されているに過ぎず、この実施形態は、これに限定されない。バスは、アドレスバス、データバス、および制御バスなどに分類され得る。表記を容易にするために、バスは、図6では1本の太線のみを使用して示されている。しかしながら、これは、1つのバスしかないことまたは1つの種類のバスしかないことを意味しない。
【０１４１】
本発明のこの実施形態では、メモリ603は、プロセッサ602によって実行されるプログラムコードを記憶するように構成され、また、例えばランダム・アクセス・メモリ（英語：random-access memory、略してRAM）といった揮発性メモリ（英語：volatile memory）であってもよいし、メモリ603は、例えば読み出し専用メモリ（英語：read-only memory、略してROM）、フラッシュメモリ（英語：flash memory）といった不揮発性メモリ（英語：non-volatile memory）、ハード・ディスク・ドライブ（英語：hard disk drive、略してHDD）、またはソリッド・ステート・ドライブ（英語：solid-state drive、略してSSD）であってもよいし、メモリ603は、コマンドまたはデータ構造形式の期待されたプログラムコードを格納または記憶するために使用することができ、コンピュータによってアクセスすることができる他の媒体である。しかしながら、メモリ603は、これらに限定されない。メモリ603は、前述の種類のメモリの組み合わせであってもよい。
【０１４２】
本発明のこの実施形態では、プロセッサ602は、中央処理装置（英語：central processing unit、略してCPU）であってもよい。
【０１４３】
プロセッサ602は、第1のワイヤレス・ネットワーク・ノードおよび第2のワイヤレス・ネットワーク・ノードがワイヤレスネットワーク機能設定を行うために使用する機能設定ポリシーを決定する。
【０１４４】
機能設定ポリシーは、ワイヤレスネットワーク機能のうちの、第1のワイヤレス・ネットワーク・ノードによって実施される、ワイヤレスネットワーク機能の第1の部分と、ワイヤレスネットワーク機能のうちの、第2のワイヤレス・ネットワーク・ノードによって実施される、ワイヤレスネットワーク機能の第2の部分とを含む。
【０１４５】
トランシーバ601は、プロセッサ602によって決定された機能設定ポリシー中の、第2のワイヤレス・ネットワーク・ノードによって実施される、ワイヤレスネットワーク機能の第1の部分に対応する機能設定情報を第2のワイヤレス・ネットワーク・ノードに送信し、これにより、第2のワイヤレス・ネットワーク・ノードは、機能設定情報に従って第2のワイヤレス・ネットワーク・ノードの機能設定を完了できるようになる。
【０１４６】
第1のワイヤレス・ネットワーク・ノードおよび第2のワイヤレス・ネットワーク・ノードがワイヤレスネットワーク機能設定を行うために使用する機能設定ポリシーを決定するとき、プロセッサ602は、ローカルポリシーに従って、第1のワイヤレス・ネットワーク・ノードおよび第2のワイヤレス・ネットワーク・ノードがワイヤレスネットワーク機能設定を行うために使用する機能設定ポリシーを決定してもよく、その場合、
ローカルポリシーは、第1のワイヤレス・ネットワーク・ノードのために運用・管理・保守OAMデバイスによって予め設定される。
【０１４７】
第1のワイヤレス・ネットワーク・ノードおよび第2のワイヤレス・ネットワーク・ノードがワイヤレスネットワーク機能設定を行うために使用する機能設定ポリシーを決定する前に、プロセッサ602は、機能設定パラメータを取得し、次に、取得した機能設定パラメータの少なくとも1つに従って第1のワイヤレス・ネットワーク・ノードおよび第2のワイヤレス・ネットワーク・ノードの機能設定ポリシーを決定する。
【０１４８】
機能設定パラメータは、以下、すなわち、サービス品質QoSまたはバックホールリンク使用情報の少なくとも1つを含む。
【０１４９】
プロセッサ602は、以下の方法で、サービス品質QoSの取得を判定してもよい。
【０１５０】
トランシーバ601が、コア・ネットワーク・デバイスによって送信されたサービス品質QoSを受信したと判定したとき、プロセッサ602は、サービス品質QoSが取得されたと判定する。
【０１５１】
サービス品質QoSは、以下のパラメータ、すなわち、サービス遅延、サービス優先順位識別子、またはサービス伝送速度の少なくとも1つを含んでもよい。
【０１５２】
プロセッサ602は、以下の方法で、バックホールリンク使用情報の取得を判定してもよい。
【０１５３】
プロセッサ602は、監視によってプロセッサ602により取得されるバックホールリンク使用情報を取得したときに、バックホールリンク使用情報が取得されたと判定するか、または
トランシーバ601が、コア・ネットワーク・デバイスによって送信されたバックホールリンク使用情報を受信したと判定するか、または
トランシーバ601が、バックホール・リンク・ノードによって送信されたバックホールリンク使用情報を受信したと判定する。
【０１５４】
バックホールリンク使用情報は、以下、すなわち、バックホールリンク負荷情報またはバックホールリンク遅延情報の少なくとも1つを含む。
【０１５５】
任意選択で、機能分割ポリシーは、以下、すなわち、
ワイヤレスネットワーク機能のうちの、第1のワイヤレス・ネットワーク・ノードによって実施される必要がある、ワイヤレスネットワーク機能の第1の部分が、パケット・データ・コンバージェンス・プロトコルPDCP層およびPDCP層の上位層に対応する機能、無線リンク制御RLC層およびRLC層の上位層に対応する機能、もしくは媒体アクセス制御MAC層およびMAC層の上位層に対応する機能を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと、または
ワイヤレスネットワーク機能のうちの、第1のワイヤレス・ネットワーク・ノードによって実施される必要がある、ワイヤレスネットワーク機能の第1の部分が、PDCP層およびPDCP層の上位層に対応する機能の一部、RLC層およびRLC層の上位層に対応する機能の一部、もしくはMAC層およびMAC層の上位層に対応する機能の一部を含み、ワイヤレスネットワーク機能のうちの、第2のワイヤレス・ネットワーク・ノードによって実施される必要がある、ワイヤレスネットワーク機能の第2の部分が、第1のワイヤレス・ネットワーク・ノードによって実施されるワイヤレスネットワーク機能以外の他のワイヤレスネットワーク機能を含むこと
のいずれかを含んでもよい。
【０１５６】
機能設定情報を第2のワイヤレス・ネットワーク・ノードに送信するとき、トランシーバ601は、機能設定情報を搬送するネットワーク機能設定指示情報を第2のワイヤレス・ネットワーク・ノードに送信する。
【０１５７】
本発明で提供されるワイヤレス・ネットワーク・ノードの実施形態および方法の実施形態は、同じ発明概念に基づいていることに留意されたい。この方法およびデバイスの問題解決の原理が同様であることから、デバイスおよび方法の実施態様間で相互参照を行うことができるため、繰り返しとなる説明は改めて行わない。
【０１５８】
本発明のこの実施形態で提供される解決策によれば、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１５９】
本発明の一実施形態は、コア・ネットワーク・デバイスをさらに提供する。図7に示すように、このデバイスは、通信インタフェース701と、プロセッサ702と、メモリ703とを含む。通信インタフェース701と、プロセッサ702と、メモリ703とは互いに接続される。前述の構成要素を接続するために使用される媒体は、本発明のこの実施形態では特に限定されない。図7における、本発明のこの実施形態では、メモリ703と、プロセッサ702と、通信インタフェース701とは、バス704を使用して接続される。図7において、バスは、図7の太線を使用して示されている。他の構成要素を接続するための方法は、説明のために一例として使用されているに過ぎず、この実施形態は、これに限定されない。バスは、アドレスバス、データバス、および制御バスなどに分類され得る。表記を容易にするために、バスは、図7では1本の太線のみを使用して示されている。しかしながら、これは、1つのバスしかないことまたは1つの種類のバスしかないことを意味しない。
【０１６０】
本発明のこの実施形態では、通信インタフェース701は、有線インタフェースであってもよいし、無線インタフェースであってもよく、また、別のネットワークとの通信を実施するために使用され得るあらゆるインタフェース形式が、本発明に適用可能である。
【０１６１】
本発明のこの実施形態では、メモリ703は、プロセッサ702によって実行されるプログラムコードを記憶するように構成され、また、例えばランダム・アクセス・メモリ（英語：random-access memory、略してRAM）といった揮発性メモリ（英語：volatile memory）であってもよいし、メモリ703は、例えば読み出し専用メモリ（英語：read-only memory、略してROM）、フラッシュメモリ（英語：flash memory）といった不揮発性メモリ（英語：non-volatile memory）、ハード・ディスク・ドライブ（英語：hard disk drive、略してHDD）、またはソリッド・ステート・ドライブ（英語：solid-state drive、略してSSD）であってもよいし、メモリ703は、コマンドまたはデータ構造形式の期待されたプログラムコードを格納または記憶するために使用することができ、コンピュータによってアクセスすることができる他の媒体である。しかしながら、メモリ703は、これらに限定されない。メモリ703は、前述の種類のメモリの組み合わせであってもよい。
【０１６２】
本発明のこの実施形態では、プロセッサ702は、中央処理装置（英語：central processing unit、略してCPU）であってもよい。
【０１６３】
プロセッサ702は、第1のワイヤレス・ネットワーク・ノードがワイヤレスネットワーク機能設定を行うために使用する機能設定パラメータを決定し、次に、通信インタフェース701は、決定された機能設定パラメータを第1のワイヤレス・ネットワーク・ノードに送信する。
【０１６４】
機能設定パラメータは、以下、すなわち、サービス品質QoSまたはバックホールリンク使用情報の少なくとも1つを含む。
【０１６５】
機能設定パラメータがサービス品質QoSを含むとき、プロセッサ702は、以下の方法で、第1のワイヤレス・ネットワーク・ノードがワイヤレスネットワーク機能設定を行うために使用する機能設定パラメータを決定してもよく、つまり、
ユーザ機器UEによって送信され、通信インタフェース701によって受信された、開始されたサービスのサービスパラメータに従ってサービス品質QoSを決定するか、または
ネットワークコントローラによって送信され、通信インタフェース701によって受信されたバックホールリンク使用情報に従ってサービス品質QoSを決定するか、または
ユーザ機器UEによって送信され、通信インタフェース701によって受信された、開始されたサービスのサービスパラメータと、ネットワークコントローラによって送信され、受信されたバックホールリンク使用情報とに従ってサービス品質QoSを決定する。
【０１６６】
サービスパラメータは、伝送速度を含んでもよい。
【０１６７】
バックホールリンク使用情報は、以下、すなわち、バックホールリンク負荷情報またはバックホールリンク遅延情報の少なくとも1つを含んでもよい。
【０１６８】
本発明で提供されるコア・ネットワーク・デバイスの実施形態および方法の実施形態は、同じ発明概念に基づいていることに留意されたい。この方法およびデバイスの問題解決の原理が同様であることから、デバイスおよび方法の実施態様間で相互参照を行うことができるため、繰り返しとなる説明は改めて行わない。
【０１６９】
本発明のこの実施形態で提供される解決策によれば、コア・ネットワーク・デバイスは、第1のワイヤレス・ネットワーク・ノードがワイヤレスネットワーク機能設定を行うために使用する機能設定パラメータを決定し、コア・ネットワーク・デバイスは、決定された機能設定パラメータを第1のワイヤレス・ネットワーク・ノードに送信する。次に、第1のワイヤレス・ネットワーク・ノードは、第1のワイヤレス・ネットワーク・ノードおよび第2のワイヤレス・ネットワーク・ノードがワイヤレスネットワーク機能設定を行うために使用する機能設定ポリシーを決定する。第1のワイヤレス・ネットワーク・ノードは、ワイヤレスネットワーク機能のうちの、ワイヤレスネットワーク機能の第1の部分を実施し、第2のワイヤレス・ネットワーク・ノードは、ワイヤレスネットワーク機能のうちの、ワイヤレスネットワーク機能の第2の部分を実施し、これにより、第1のワイヤレス・ネットワーク・ノードおよび第2のワイヤレス・ネットワーク・ノードは、ユーザと通信するためにワイヤレスネットワーク機能をそれぞれ実施する。これにより、CPRIインタフェースの利用率が低下し、帯域幅使用量の要求が低減され、この結果、C-RANシステムの配備および使用が容易になる。
【０１７０】
当業者は、本発明の実施形態が、方法、システム、またはコンピュータプログラム製品として提供され得ることを理解すべきである。したがって、本発明は、ハードウェアのみの実施形態、ソフトウェアのみの実施形態、またはソフトウェアとハードウェアとを組み合わせた実施形態の形態を使用することができる。さらに、本発明は、コンピュータ使用可能プログラムコードを含む1つ以上のコンピュータ使用可能記憶媒体（ディスクメモリ、CD-ROM、および光メモリなどを含むが、これらに限定されない）で実施されるコンピュータプログラム製品の形態を使用することができる。
【０１７１】
本発明は、本発明の実施形態による方法、デバイス（システム）、およびコンピュータプログラム製品のフローチャートおよび／またはブロック図を参照して説明されている。フローチャートおよび／またはブロック図の各処理および／または各ブロックならびにフローチャートおよび／またはブロック図の処理および／またはブロックの組み合わせを実施するためにコンピュータプログラム命令を使用することができることを理解されたい。これらのコンピュータプログラム命令は、機械を作るために汎用コンピュータ、専用コンピュータ、組み込みプロセッサ、または任意の他のプログラマブルデータ処理デバイスのプロセッサに提供することができ、これにより、コンピュータまたは任意の他のプログラマブルデータ処理デバイスのプロセッサによって実行される命令は、フローチャートの1つ以上の処理および／またはブロック図の1つ以上のブロックにおける特定の機能を実施するための装置を作る。
【０１７２】
これらのコンピュータプログラム命令は、コンピュータまたは任意の他のプログラマブルデータ処理デバイスに特定の仕方で動作するよう命令することができるコンピュータ可読メモリに記憶されてもよく、これにより、コンピュータ可読メモリに記憶された命令は、命令装置を含む人工物を作る。命令装置は、フローチャートの1つ以上の処理および／またはブロック図の1つ以上のブロックにおける特定の機能を実施する。
【０１７３】
これらのコンピュータプログラム命令は、一連の動作およびステップがコンピュータまたは別のプログラマブルデバイス上で実行されるようにコンピュータまたは別のプログラマブルデータ処理デバイスにロードされ、これにより、コンピュータ実施処理が行われてもよい。したがって、コンピュータまたは別のプログラマブルデバイス上で実行される命令は、フローチャートの1つ以上の処理および／またはブロック図の1つ以上のブロックにおける特定の機能を実施するためのステップを提供する。
【０１７４】
本発明のいくつかの好ましい実施形態について説明したが、当業者は、基本的な発明概念を習得したら、これらの実施形態を変更および修正することができる。したがって、添付の特許請求の範囲は、本発明の範囲内に入る好ましい実施形態ならびにすべての変更および修正を包含すると解釈されることを意図されている。
【０１７５】
当然ながら、当業者は、本発明の精神および範囲から逸脱することなく、本発明に対して様々な修正および変形を行うことができる。本発明は、添付の特許請求の範囲およびその均等な技術によって規定される保護範囲内に入るならば、これらの修正および変形を包含することを意図されている。
【符号の説明】
【０１７６】
401  決定ユニット
402  送信ユニット
403  取得ユニット
501  決定ユニット
502  送信ユニット
503  受信ユニット
601  トランシーバ
602  プロセッサ
603  メモリ
604  バス
701  通信インタフェース
702  プロセッサ
703  メモリ
704  バス
NC  ネットワークコントローラ
RAP  無線アクセスポイント
RC  無線アクセスコントローラ
TN  転送ネットワーク
【図１】
0006609645.tif 000004
【図２】
0006609645.tif 000005
【図３】
0006609645.tif 000006
【図４】
0006609645.tif 000007
【図５】
0006609645.tif 000008
【図６】
0006609645.tif 000009
【図７】
0006609645.tif 000010